(57)【特許請求の範囲】
【請求項１】
エンジン（６）と車輪（７）とがフレーム（８）に取付けられ該エンジン（６）から前方下傾方向へ延設された保持杆（５）の先端（５ａ）に該エンジン（６）の回転駆動力が伝えられ草刈刃が着脱自在な回転伝達部（９）を有する手押式刈払機（40）の、該保持杆（５）の先端（５ａ）に着脱自在に取付けられる除雪部材（４）を備え、該除雪部材（４）は、上記回転伝達部（９）を介して水平軸心（Ｌ）廻りに回転して雪を掻いて飛ばす雪掻き回転体（１）を具備し、
上記除雪部材（４）は、上記回転伝達部（９）の回転軸部(19)に取付けられ上記水平軸心（Ｌ）廻りに回転する軸部材（２）と、上記保持杆（５）の先端（５ａ）に取付けられ上記雪掻き回転体（１）の後方近傍に設けられて該雪掻き回転体（１）が掻いた雪を上方へ誘導するハウジング部材（３）と、を備え、
上記雪掻き回転体（１）は、上記軸部材（２）に外嵌する差込孔部（12）を有し該軸部材（２）と上記水平軸心（Ｌ）廻りに一体に回転する３つ以上の短回転体（10）から成り、しかも、該短回転体(10)は、所定間隔をもって平行に配設され中央に上記差込孔部(12) (12)を有する円板部(14) (14)と、一対の円板部(14) (14)の内面(14ａ) (14ａ)を連結するよう一体に形成された雪掻き羽根(11)と、を有し、
上記ハウジング部材（３）は、横断面上方前傾状の略Ｊの字に形成された雪を上方へ誘導する投雪壁部（31）と、該投雪壁部（31）の下端縁（32）に沿って一体に形成された雪掬い辺部（33）と、を有し、
さらに、一端(26ａ)が上記保持杆(５)に着脱自在に取付けられるとともに、他端(26ｂ)が上記ハウジング部材(３)の後部に着脱自在に取付けられて上記除雪部材(４)の向きを固定させるための固定杆部材(26)を備え、上記保持杆(５)の軸心と上記水平軸心（Ｌ）とが成す角度を鈍角に設定して、上記回転伝達部（９）の回転軸部(19)を鉛直方向と水平方向に切換え自在としたことを特徴とする除雪装置。
【発明の詳細な説明】
【技術分野】
【０００１】
本発明は、除雪装置に関するものである。
【背景技術】
【０００２】
従来の除雪装置は、エンジンを搭載した車体の前部に、前方へ開口した雪飛ばし用のハウジングが取付けられ、かつ、エンジンの回転駆動力により横方向軸心廻りに回転する集雪用のオーガがハウジングの前方に包囲状となるように設けられ、かつ、ハウジングの後部に、オーガが回転して中央部に集めた雪をシュートで飛ばすためのブロアが設けられたものが知られている（例えば、特許文献１参照）。
【特許文献１】特開２００５−２２６３３６
【発明の開示】
【発明が解決しようとする課題】
【０００３】
従来のこの除雪装置は、１つのエンジンからの駆動力によって、オーガとブロアの両方を回転させて、オーガで雪を中央部に集める作業と、ブロアで雪を上方へ飛ばす作業とを同時に行うため、エンジンに連結されたシャフトには非常に大きなトルクが掛かり、エンジンには非常に大きな負荷が掛かり、故障が発生し易い。また、高出力のエンジンを使用しなければならないので、コストも掛かってしまう。また、この除雪装置は除雪専用の装置であり、冬期以外には、エンジン等を含む装置を活用できない。
【０００４】
そこで、本発明は、エンジンに大きな負荷を掛けずに除雪でき、かつ、除雪作業以外の他の用途で使用する機械を用いて除雪作業を行うことができる除雪装置を提供することを目的とする。
【課題を解決するための手段】
【０００５】
上記目的を達成するために、本発明に係る除雪装置は、エンジンと車輪とがフレームに取付けられ該エンジンから前方下傾方向へ延設された保持杆の先端に該エンジンの回転駆動力が伝えられ草刈刃が着脱自在な回転伝達部を有する手押式刈払機の、該保持杆の先端に着脱自在に取付けられる除雪部材を備え、該除雪部材は、上記回転伝達部を介して水平軸心廻りに回転して雪を掻いて飛ばす雪掻き回転体を具備し、上記除雪部材は、上記回転伝達部の回転軸部に取付けられ上記水平軸心廻りに回転する軸部材と、上記保持杆の先端に取付けられ上記雪掻き回転体の後方近傍に設けられて該雪掻き回転体が掻いた雪を上方へ誘導するハウジング部材と、を備え、上記雪掻き回転体は、上記軸部材に外嵌する差込孔部を有し該軸部材と上記水平軸心廻りに一体に回転する３つ以上の短回転体から成り、しかも、該短回転体は、所定間隔をもって平行に配設され中央に上記差込孔部を有する円板部と、一対の円板部の内面を連結するよう一体に形成された雪掻き羽根と、を有し、上記ハウジング部材は、横断面上方前傾状の略Ｊの字に形成された雪を上方へ誘導する投雪壁部と、該投雪壁部の下端縁に沿って一体に形成された雪掬い辺部と、を有し、さらに、一端が上記保持杆に着脱自在に取付けられるとともに、他端が上記ハウジング部材の後部に着脱自在に取付けられて上記除雪部材の向きを固定させるための固定杆部材を備え、上記保持杆の軸心と上記水平軸心とが成す角度を鈍角に設定して、上記回転伝達部の回転軸部を鉛直方向と水平方向に切換え自在としたものである。
【発明の効果】
【０００６】
本発明は、次のような著大な効果を奏する。
本発明に係る除雪装置は、草刈刃が着脱自在な回転伝達部を先端に有する保持杆を備えた手押式刈払機の、保持杆の先端に着脱自在に取付けられる除雪部材を備えるので、回転伝達部に取付けた草刈刃を除雪部材に交換することで、１台の手押式刈払機を、夏場は草刈専用として、また、冬場は除雪用として用いることができ、エンジンや車輪等を有する手押式機械を多用途に有効利用できる。そして、草刈刃と除雪部材を回転伝達部に取付・取外するだけで使用用途を換えることができるので、交換作業に手間が掛からず至便である。また、草刈専用機と除雪専用機を夫々購入する必要がないので、経費の削減も図ることができる。
また、除雪部材は、回転伝達部に取付けられ水平軸心廻りに回転する軸部材と、軸部材に外嵌される複数の短回転体から成る雪掻き回転体とを有し、これらの短回転体が、夫々の雪掻き羽根が周方向において位相が相互にずれるように、軸部材に外嵌されて雪掻き回転体を構成するので、夫々の短回転体の雪掻き羽根が積雪に接近するタイミングがずれるため、全ての短回転体の雪掻き羽根が同時に雪を掻くことがない。従って、雪を掻く瞬間に回転伝達部が受けるトルクは、雪掻き羽根が軸心方向の全長にわたって同時に積雪を掻くものに比べて、３分の１程度となり、エンジンに掛かる負荷が大幅に低減される。よって、雪掻き回転体がスムーズに回転し、効率よく除雪作業を行うことができると共に、エンジン等の故障を抑えることができる。
また、雪掻き回転体を全て一体として製造する場合、金型の製造コストが非常に掛かり、しかも、金型を高精度にするのが非常に困難であるが、複数の短回転体に分割することで、金型のコストも大幅に低減でき、高精度の金型を製造できる。
【０００７】
また、軸部材の外周面と、各短回転体の差込孔部を正六角形状に形成されているので、例えば、３つの短回転体を、120 °ずつ位相をずらして軸部材に外嵌することができる。そして、同一形状の短回転体を製造すればよく、コストも削減できる。
また、雪掻き羽根が掬った雪を、Ｊ字状のハウジング部材によって、前方上方へ誘導して飛ばすことができるので、シンプルな構成でありながら、雪を遠方へ飛ばすことができて、スムーズに除雪を行うことができる。さらに、ハウジング部材の雪掬い辺部が、地表上に積もった雪に食い込んで掬うため、雪をスムーズに雪掻き回転体へ送ることができ、除雪を効率よく行うことができる。また、ハウジング部材は、投雪壁部と雪掬い辺部とが一体に形成されているので、別部材として製造してボルトナット結合等で一体にするものに比べて、手間が掛からず、使用中にボルトナット結合等が緩んで分離する虞れがなく頑強な構造にできる。
【発明を実施するための最良の形態】
【０００８】
以下、実施の形態を示す図面に基づき、本発明を詳説する。
図１〜図３に示したように、本発明に係る除雪装置の実施の一形態は、草刈用の手押式刈払機40に草刈刃に替えて取付けられる除雪部材４を備える。
手押式刈払機40は、エンジン６と車輪７とがフレーム８に取付けられ、エンジン６から前方下傾方向へ延設された保持杆５の先端５ａにエンジン６の回転駆動力が伝えられ草刈刃が取付取外自在な回転伝達部９を有する。回転伝達部９は、保持杆５の先端５ａに設けられたギアケース18を有し、エンジン６とギアケース18内のギアは、保持杆５の内部に回転自在に配設される駆動シャフトにて連動連結されて、ギアケース18の取付円盤部17から、回転軸部19が回転自在に突設されている。また、42は保持杆５の中間に取付けられ草刈刃の高さを一定に保持する球体状の刃高設定具である。
草刈用の手押式刈払機40として用いる場合には、回転軸部19の回転軸心が略鉛直方向に向けられ、草刈刃が取付けられる（図示省略）。図１は、回転伝達部９から草刈刃が取外され、回転軸部19の回転軸心を水平軸心Ｌ方向に設定し、かつ、回転伝達部９に除雪部材４が取付けられた状態を示している。
【０００９】
次に、除雪部材４について説明すると、除雪部材４は、回転伝達部９の回転軸部19に取付けられ水平軸心Ｌ廻りに回転する軸部材２と、回転伝達部９を介して（軸部材２に外嵌されて）水平軸心Ｌ廻りに回転して雪を掻き飛ばす雪掻き回転体１と、保持杆５の先端５ａに取付けられ雪掻き回転体１の後方近傍に設けられて雪掻き回転体１が掻いた雪を上方遠方へ飛ぶように誘導するハウジング部材３と、を備える。
【００１０】
先ず、図３〜図６，図11に於て、軸部材２は、正六角筒状のパイプ部材21と、パイプ部材21の一端21ａに嵌着され回転伝達部９の回転軸部19が螺着される雌ネジ孔22ａを有する取付端部材22と、パイプ部材21の他端21ｂに嵌着され長手方向（軸心Ｌ方向）へ突設された軸部23ａを有する軸端部材23と、を有する。また、パイプ部材21の他端21ｂと軸端部材23には、差込孔24が径方向に貫設されていて、軸部材２に雪掻き回転体１を外嵌した後で、差込孔24に位置ずれ防止ピン25を差込めば、回転体１の軸心Ｌ方向への移動を防ぐことができる（図３参照）。なお、回転体１及び軸部材２の回転方向50は前回りの方向であり、軸心Ｌ方向左側から見て反時計回りである。
【００１１】
次に、図１，図３〜図７に於て、雪掻き回転体１は、水平軸心Ｌ廻りに軸部材２と一体回転する３つの短回転体10…から成る。換言すれば、雪掻き回転体１は、軸心Ｌ方向に、３つの短回転体10…に分割される。
各短回転体10は、所定間隔をもって平行に配設され中央に差込孔部12，12を有する円板部14，14と、円板部14，14の差込孔部12，12から内側に一体に折曲られた正六角筒状の短筒部13，13と、一対の円板部14，14の内面14ａ，14ａを連結するよう一体に形成され周方向Ｘに所定ピッチで配設される４つの雪掻き羽根11…と、を有する。差込孔部12は、軸部材２に略隙間無く外嵌可能な正六角形状に形成される。雪掻き羽根11の等分配中心角度θ11────図例では90°────と、軸部材２を短回転体10の差込孔部12に差込む入替ピッチ角度θ12────図例では60°────とを、相違させ、かつ、相互に整数倍とならないように設定する。
【００１２】
各雪掻き羽根11は、帯板材を折曲部をもって横断面くの字（Ｌ字）状に折曲げた形状を有し、折曲辺を介して回転方向50における先頭側の一（前）帯板部15と後側の他（後）帯板部16とから成る。一帯板部15は他帯板部16よりも短く、かつ、外径方向Ｒに対し各帯板部15，16が拡開するように配設される。かつ、一帯板部15の端縁部15ａは円板部14の外周縁から所定間隔をもって離間し、かつ、他帯板部16の端縁部16ａは円板部14の外周縁に接するまで延設されている。これにより、雪掻き回転体１（短回転体10）が回転して雪掻き羽根11が雪Ｓを掻く際に、前側の帯板部15が雪Ｓを掻かずに通過し、その直後に、後側の帯板部16が積雪Ｓを掻くので（図６参照）、各雪掻き羽根11が雪Ｓを確実に掬う。また、複数のリブ13ａ…が、短筒部13の外周から円板部14の内面14ａにかけて、所定ピッチで形成されており、短回転体10は強固な構造となる。
そして、３つの短回転体10…は、相互に円板部14…同士が密着状として、かつ、３つの短回転体10…の雪掻き羽根11…の位置が相互に周方向Ｘに 120°ずつずれるように、軸部材２に外嵌される（図３〜図６参照）。
【００１３】
次に、図８〜図10に示したように、ハウジング部材３は、横断面上方前傾状の略Ｊの字に形成され雪を上方へ誘導する投雪壁部31と、後辺部が投雪壁部31の各側辺部に沿って一体に形成された前後方向の側壁部35，35と、投雪壁部31の下端縁32に沿って一体に形成された雪掬い辺部33と、を有する。投雪壁部31は、横断面上方前傾状の平板部31ｂと、平板部31ｂの下端縁から下方へ一体に延設された弯曲板部31ａとを有する。また、左右一対の側壁部35，35のうちの一方（実施例では左側）の側壁部35Ａは、その下部に、ギアケース18の取付円盤部17がボルトで固定されると共に回転軸部19を通す（円形）開口部36ａを有する固定円環部36を、有する。固定円環部36は、開口部36ａ廻りに、ボルト螺着用の複数の雌ネジ孔（例えば３つの雌ネジ孔が環状に所定ピッチで）が形成されている。また、他方の（右側）側壁部35Ｂは、その下部に、後述の軸受部材46（図３，図12参照）を固定する複数の（例えば環状に所定ピッチで３つの）ボルト挿通孔38…が形成されている。
また、雪掬い辺部33は、投雪壁部31の下端縁32に沿って一体として前方に突設された前方下傾状の帯板状掬い部33ｂと、掬い部33ｂの前端縁から後方へ折曲げられ水平状に一体に形成された帯板状底部33ａと、を有する。掬い部33ｂと底部33ａの前端縁が、横断面鋭角状の掬い縁部37を成す。また、底部33ａの上面部と、掬い部33ｂの後面部と、投雪壁部31の下面部とを一体に連結する複数の薄壁状補強用リブ34…が、横方向に所定ピッチで配設されていて、雪掬い辺部33は強固である。また、各側壁部35の前辺部は、上部が鉛直辺状に形成されると共に、下部が後方下傾状に形成されている（図９，図10参照）。  
なお、図３，図８に示したハウジング部材３は、投雪壁部31に直交する（図９，図10の矢印49の）方向から見た図示である。
【００１４】
次に、図３，図12に於て、除雪部材４は、ハウジング部材３の側壁部35Ｂの内面側に取付けられ軸部材２の軸部23ａを回転自在に保持する軸受部材46を有する。具体的には、軸受部材46は、軸部材２の軸部23ａが挿着される内輪を有する（ラジアル）ベアリング47と、ベアリング47の外輪が挿着される孔部48ａを有する軸受本体48と、を有する。軸受本体48は略三角形状を有し、かつ、ハウジング部材３の右側壁部35Ｂのボルト挿通孔38…に対応する雌ネジ孔を有する。そして、軸受本体48が、この側壁部35Ｂの内側面に、ボルトによって取付けられる。軸部材２の片方が軸受部材46に回転自在に保持されるので、軸部材２の軸心が振れることなくスムーズに回転し、除雪作業がスムーズになる。
【００１５】
また、図１，図２に於て、26は、一端26ａ・他端26ｂが夫々保持杆５・ハウジング部材３の後部に着脱自在に取付けられて除雪部材４の向きを固定させるための固定杆部材である。一端26ａは、例えば、ヒンジで開閉自在となり保持杆５を包囲してビス等で固定する着脱部から成り、また、他端26ｂは、ハウジング部材３の後面にビス等で着脱自在な取付片から成る。
【００１６】
図13は本発明に係る除雪装置の他の実施の形態を示し、車輪７が、図１のものと相違して、ブロー成型により形成された小型の中空樽型（殻構造）を有し、刃高設定具42の大きさと同程度の大きさに形成されている。なお、図１の刈払機40の車輪７は、刃高設定具42よりも大きな径を有するタイヤ形状に成形されており、図示省略されているが、接地面に滑り止め用凹凸を形成してもよい。また、図１，図13の両装置は、車輪７の左右両側に、一対の補助輪が配設される。
そして、図13に於て、手押式刈払機40を草刈用として使用される場合、保持杆５に刃高設定具42、ガード部材43が取付けられると共に、回転伝達部９の回転軸部（図示省略）は鉛直方向に向けられて、草刈刃44が取付けられる（二点鎖線で示した状態）。ガード部材43は、草が使用者側に飛来するのを防ぐためのもので、刃高設定具42の前方にて保持杆５に着脱自在に取付けられる。
次いで、刈払機40を除雪用に使用する場合には、保持杆５・回転伝達部９からガード部材43・草刈刃44を取外し（矢印51参照）、そして、回転伝達部９の回転軸部を水平方向に向け、回転伝達部９に固定杆部材26・除雪部材４を取付ける（矢印52参照）。
なお、図１の手押式刈払機40に於ても、草刈用に使用する場合は、保持杆５・回転伝達部９にガード部材・草刈刃が取付けられており（図示省略）、除雪用として使用する場合に、図13で上述したのと同様の手順で交換作業を行う。
【００１７】
そして、図１〜図６，図10に於て、手押式刈払機40のエンジン６を始動させると、回転伝達部９の回転軸部19に接続された軸部材２・雪掻き回転体１が水平軸心Ｌ廻りに矢印50のように前方向に回転する。そして、ハンドル41を持って刈払機40を前進させると、雪掬い辺部33の掬い縁部37が地表上の積雪Ｓを掬い、かつ、掬われた雪Ｓが前方下傾状掬い部33ｂを滑り上がり、雪Ｓはスムーズに雪掻き回転体１へ送られる。
そして、上述のように、雪掻き回転体１を成す３つの短回転体10…は、夫々の雪掻き羽根11…の位置が相互に周方向Ｘに 120°ずつずれた状態で、一体に回転するので（図４〜図６参照）、各雪掻き羽根11が雪Ｓを掻くタイミングが、夫々の短回転体10において120 °周期でずれるため、全ての短回転体10…の雪掻き羽根11…が同時に雪Ｓを掻くことがない。従って、雪Ｓを掻くときに短回転体10及び軸部材２が受けるトルクは、雪掻き羽根が軸心方向の全長にわたって雪Ｓを掻くものに比べて、３分の１程度となり、エンジン６に掛かる負荷が大幅に低減される。
また、電動除雪機と違い、電源コードの届かない場所でも除雪作業をできる。しかも、積雪量に応じて、エンジンの回転数を変えることで、雪掻き回転体１の回転数を変ることができるので、ギアボックスを除雪部材４に設ける必要がなく部品点数が少ない。
【００１８】
そして、雪掻き羽根11が掬った雪Ｓは、雪掻き羽根11がハウジング部材３の投雪壁部31の弯曲板部31ａに対応する位置にあるときには、弯曲板部31ａにより、雪掻き羽根11に掬われた状態で保持されており、雪掻き羽根11が頂部近傍まで達すると、投雪壁部31の平板部31ｂの前面に沿って滑りつつ前方上傾方向へ飛び出していく（図10の矢印28参照）。また、両側壁部35, 35のガードにより雪が側方へ飛散することもない。このように、ハウジング部材３によって、雪を前方上傾の一定方向に誘導して飛ばすことができる。
なお、図１，図２の除雪部材４は前方より僅かに左側を向くように取付けられているが、設計変更自由であり、僅かに右側を向けたり、真正面に向くように取付けてもよい。また、除雪部材４は、回転伝達部９がハウジング部材３の左側壁部35Ａに取付けられるように形成されているが、除雪部材４の全体の構造を左右逆として、回転伝達部９が右側壁部35Ｂに取付けられるように形成してもよい（図示省略）。
また、本発明に於ては、雪掻き回転体１を３つの短回転体10…から構成しているが、雪掻き回転体１の全長に応じて、４つ以上の短回転体10…から構成するのもよい。
なお、図１，図13に於て、刈払機40に装着された刃高設定具42により、保持杆５の先端５ａが前後だけでなく、左右にも大きく、かつ、軽く振れるので、左右へ────ほうきで掃くように、────巾広く効率良く除雪できる。
【００１９】
以上のように、本発明に係る除雪装置は、エンジン６と車輪７とがフレーム８に取付けられエンジン６から前方下傾方向へ延設された保持杆５の先端５ａにエンジン６の回転駆動力が伝えられ草刈刃が着脱自在な回転伝達部９を有する手押式刈払機40の、保持杆５の先端５ａに着脱自在に取付けられる除雪部材４を備え、除雪部材４は、回転伝達部９を介して水平軸心Ｌ廻りに回転して雪を掻いて飛ばす雪掻き回転体１を具備するので、回転伝達部９に取付けた草刈刃を除雪部材４に交換することで、１台の手押式刈払機40を、夏場は草刈専用として、また、冬場は除雪用として用いることができ、エンジン６や車輪７等を有する手押式機械を多用途に有効利用できる。そして、草刈刃と除雪部材４を回転伝達部９に取付・取外するだけで使用用途を換えることができるので、交換作業に手間が掛からず至便である。また、草刈専用機と除雪専用機を夫々購入する必要がないので、購入経費の削減も図ることができる。
【００２０】
また、本発明に係る除雪装置は、エンジン６と車輪７とがフレーム８に取付けられエンジン６から前方下傾方向へ延設された保持杆５の先端５ａに取付けられる除雪部材４を備え、除雪部材４は、保持杆５の先端５ａに設けられエンジン６の回転駆動力が伝えられる回転伝達部９を介して水平軸心Ｌ廻りに回転して雪を掻いて飛ばす雪掻き回転体１を具備するので、回転伝達部９に取付けた草刈刃を除雪部材４に交換することで、エンジン６や車輪７等から成る装置を、夏場は草刈専用として、また、冬場は除雪用として多用途に有効利用できる。そして、草刈刃と除雪部材４を回転伝達部９に取付・取外するだけで使用用途を換えることができるので、交換作業に手間が掛からず至便である。また、草刈専用機と除雪専用機を夫々購入する必要がないので、購入経費の削減も図ることができる。
【００２１】
また、除雪部材４は、回転伝達部９に取付けられ水平軸心Ｌ廻りに回転する軸部材２と、保持杆５の先端５ａに取付けられ雪掻き回転体１の後方近傍に設けられて雪掻き回転体１が掻いた雪を上方へ誘導するハウジング部材３と、を備え、かつ、雪掻き回転体１は、軸部材２に外嵌する差込孔部12を有し軸部材２と水平軸心Ｌ廻りに一体に回転する複数の短回転体10から成り、かつ、各短回転体10は、周方向Ｘに所定ピッチで付設された複数の雪掻き羽根11を有し、かつ、複数の短回転体10を、周方向Ｘにおいて雪掻き羽根11が相互にずれるように、隣接して軸部材２に外嵌して、雪掻き回転体１が構成されるので、複数の短回転体10…の雪掻き羽根11が積雪Ｓに接近するタイミングがずれるため、全ての短回転体10…の雪掻き羽根11が同時に雪Ｓを掻くことがない。従って、例えば、短回転体10…を３つに分割すれば、雪Ｓを掻くときに回転伝達部９が受けるトルクは、雪掻き羽根が軸心方向の全長にわたって同時に積雪Ｓを掻くものに比べ、３分の１程度となり、エンジン６に掛かる負荷が大幅に低減される。よって、雪掻き回転体１がスムーズに回転し、効率よく除雪作業を行うことができると共に、エンジン６等の故障を抑えることができる。
また、雪掻き回転体１を全て一体として製造する場合、金型のコストが非常に掛かり、しかも、金型を高精度にするのが非常に困難であるが、複数の短回転体10…に分割することで、金型のコストが大幅に低減され、高精度の金型を製造できる。
また、雪掻き羽根11が掬った雪を、ハウジング部材３によって、前方上方へ誘導して飛ばすことができるので、スムーズに除雪を行うことができる。
【００２２】
また、軸部材２は断面正六角形の外周面20を有し、かつ、各短回転体10の差込孔部12は、軸部材２に略隙間無く外嵌可能な正六角形状に形成されているので、同じ形状の（同じ配置で雪掻き羽根11…を具備する）複数の短回転体10…を、夫々の雪掻き羽根11が周方向Ｘに位相がずれるように軸部材２に外嵌することができる。よって、例えば、３つの短回転体10…を、120 °ずつ位相をずらして軸部材２に外嵌することも可能となる。そして、雪掻き羽根11の配置が異なる短回転体10を製造する必要がないので、製造コストも削減できる。
【００２３】
また、ハウジング部材３は、横断面上方前傾状の略Ｊの字に形成された雪を上方へ誘導する投雪壁部31と、投雪壁部31の下端縁32に沿って一体に形成された雪掬い辺部33と、を有するので、刈払機40を前進させると、雪掬い辺部33が地表上に積もった雪に食い込んで掬うため、雪をスムーズに雪掻き回転体１へ送ることができ、除雪を効率よく行うことができる。
また、各短回転体10の回転に伴い、雪掻き羽根11に掬われた雪が、ハウジング部材３の投雪壁部31の前面に沿って誘導されるので、雪を、前方上傾方向へ遠くに飛ばすことができ、除雪作業をスムーズに行うことができる。
また、ハウジング部材３は、投雪壁部31と雪掬い辺部33とが一体に形成されているので、別部材として製造してボルトナット結合等で一体にするものに比べて、手間が掛からず、使用中にボルトナット結合等が緩んで分離する虞れがなく頑強な構造にできる。
【図面の簡単な説明】
【００２４】
【図１】本発明に係る除雪装置の実施の一形態を示す斜視図である。
【図２】要部平面図である。
【図３】要部正面図である。
【図４】図３のＡ−Ａ断面図である。
【図５】図３のＢ−Ｂ断面図である。
【図６】図３のＣ−Ｃ断面図である。
【図７】図６のＤ−Ｄ断面図である。
【図８】ハウジング部材を示す正面図である。
【図９】ハウジング部材を示す側面図である。
【図１０】図８のＥ−Ｅ断面図である。
【図１１】軸部材を示す一部断面側面図である。
【図１２】軸受部材を示す正面図である。
【図１３】本発明に係る除雪装置の他の実施の形態を示す説明用斜視図である。
【符号の説明】
【００２５】
１  雪掻き回転体
２  軸部材
３  ハウジング部材
４  除雪部材
５  保持杆
５ａ  先端
６  エンジン
７  車輪
９  回転伝達部
10  短回転体
11  雪掻き羽根
12  差込孔部
14  円板部
14ａ  内面
19  回転軸部
26  固定杆部材
26ａ  一端
26ｂ  他端
31  投雪壁部
32  下端縁
33  雪掬い辺部
40  手押式刈払機
Ｌ  水平軸心
【図１】
0004624305.tif 000002
【図２】
0004624305.tif 000003
【図３】
0004624305.tif 000004
【図４】
0004624305.tif 000005
【図５】
0004624305.tif 000006
【図６】
0004624305.tif 000007
【図７】
0004624305.tif 000008
【図８】
0004624305.tif 000009
【図９】
0004624305.tif 000010
【図１０】
0004624305.tif 000011
【図１１】
0004624305.tif 000012
【図１２】
0004624305.tif 000013
【図１３】
0004624305.tif 000014